(57)【要約】　　　（修正有）【課題】密封性能の経時変化が少なく表面の粗い回転シャフトに使用されても密封性能を十分に高く保持でき、広い温度環境でも使用でき、高速回転のシールを可能にし、密封度が不足した場合では、オーリングかゴムパッキングを取り替えるだけで、すぐ従来の機能を発揮することができるオイルシールの提供。【解決手段】ゴムパッキング１とオイルシール２とでなり完全な軸対称形をなしている。ゴムパッキング１の穴径は回転シャフト４の外径より小さめで椀コ状にし、回転シャフト４の外周面に圧着しこの面が密封面としての機能を持たせる。さらに、ゴムパッキング１の外周にはオーリング２が嵌め込まれ機器内環の円周壁に接しているため、回転シャフト４が回転することにより遠心力によりさらに密封度は増し流体が漏れることはない。【選択図】　図１
2004092895.tif 000002
【特許請求の範囲】
【請求項１】
回転軸の外周に圧接する環状のゴム部材１と、該ゴム部材の外周にはめ込むオーリング２とからなるオイルシール、前記回転シャフト４の外周面との接触面を密封面とし該回転シャフト４の軸方向に該密封面の片側を機器内のオイルに曝し該密封面の他の面を該機器の外の空気に曝して該片側を機器の内側とし該他の側の該機器の外側とするとき、前記ゴム部材１は前記回転シャフト４の外周の全周に当接する環状のゴムパッキング１の形態をなし前記ゴムパッキング１にオーリング２を組み込み場合によっては取替え交換することができる事を特徴とするオイルシール。
【請求項２】
前記ゴムパッキング１の穴径は前記回転シャフト４の外径より小さく、さらにゴムパッキング１を前記回転シャフト４に圧入する時ゴムパッキング１がシャフト部に密接し真空状態になるように椀こ型になっている事を特徴とするオイルシール。
【請求項３】
上述のように該ゴムパッキグ１と該オーリング２が一体となって該機内で回転するとき、該オーリング２が回転シャフト４の遠心力とオーリング２のスプリングバックで機器内の円環内壁とオーリングが密接に接して回転することで密封し、又、このオーリング２は取り替える事ができる事を特徴とするオイルシール。
【発明の詳細な説明】
【０００１】
【発明の属する技術分野】
本発明は自動車エンジンにおける噴射ポンプ産業機器等の回転体の回転軸回り等に用いられて好適なオイルシールに関する。
【０００２】
【従来の技術】
オイルシールは噴射ポンプ用モーター等の回転機器において回転シャフトの外周に沿って内部のオイルが外に漏れ出すのを防止するのに用いられる、その回転シャフトの軸方向に関する該オイルシールの内側が回転機器の内部のオイルに曝され該オイルシールの他の側が空気に曝される、オイルシールのゴム製のシールリップと回転シャフトの外周面との密着面を密封面とし該密封面により該内側と外側へオイルが流動するのを防止している。
【０００３】
従来のオイルシールはＪＩＳ−Ｂ０１１６−１４０３「ばね入り外周ゴムオイルシール」で示されているようにゴム制の環状のシールリップと回転シャフトに当接し該シールリップをばねでラジアル方向に締め付け該シールリップと回転シャフトとの当接面を密封面とし該密封面で該回転回りのシールをする。
【０００４】
【発明が解決しようとする課題】
上述の従来のオイルシールでは密封面がシールリップと回転シャフトとの当接面であり該シールリップをバネで回転シャフトに締付けるから長時間に渡って使用されると、回転シャフトの外周にシールリップによる摩滅溝が形成され密封能力が低下し機器内部のオイルが漏れ出す事があり、又、回転シャフトの外周面とシールリップとの摩擦による熱でシールリップが硬化しこの点でも使用時間に応じて密封の度合いが低下する。摩滅溝と摩擦熱とは相互に助長しあう関係にあり、従来のオイルシールでは密封性能の劣化は時間の経過とともに急速に進む。
【０００５】
そこで本発明の目的は密封性能の経時変化が少ないオイルシールの提供にある。
【０００６】
【課題を解決するための手段】
上記課題を解決するために本発明は次の手段を提供する。
【０００７】
（１）回転軸の外周の全周に当接する環状のゴム部材と該ゴム部材の外周部にはめ込まれたオーリング２とを有して該ゴム部材と前記回転シャフト４の外周面との当接面を密封面とし該回転シャフト４の軸方向に該密封面の片側を機器内のオイルに曝し該密封面の他の面を該機器の外の空気に曝し該片側を機器の内側とし該他の側を該機器の外側とするとき該内側と該外側との間の流体の移動を該密封面で遮断するオイルシールにおいて前記ゴム部材は前記回転シャフト４の外周の全周に圧接する環状のゴムパッキング１の形態をなし前記ゴムパッキング１にオーリング２を嵌め込んだ状態になる事を特徴とするオイルシール。
【０００８】
（２）前記ゴムパッキング１の穴径は前記回転シャフト４の外径より小さくして締め代を設けさらに回転シャフト４に密接部分は椀こ状になっているから、押し付けられることによって、前期回転シャフト４とゴムパッキング１の間は真空状態となりさらによく圧着することになる。又、外径は前記ゴムパッキング１にオーリング２を嵌め込んだ状態で該機器の内径と同寸法となるように設定されている、シャフトが回転すればオーリングが遠心力により該機器の円環内壁に押し付けられ密着して回転することを特徴とするオイルシール。
【０００９】
（３）前期回転シャフト４に直行密着する状態において該回転シャフト４が回転すると該ゴムパッキン１は、オーリング２と一体となり前記機器の内側で共転する、その時回転するオーリング２は回転シャフト４の遠心力により、より該機器の円環内壁に押し付けられ該機器内部からの流体の漏れを防ぐ事を特徴とする前記（１）又は（２）に記載のオイルシール。
【００１０】
【発明の実施の形態】
次に実施の形態を上げ本発明を一層詳しく説明する。
【００１１】
図１は本発明の一実施の形態を示す縦断面図、図３はその実施の形態を構成するゴムパッキング１、図ＩＶはオーリング２を示すものである。
【００１２】
この実施の形態のオイルシールはゴムパッキング１とオーリング２からなり材質はそれぞれＨ＋ＮＢＲゴムである。又、オーリング２はＣＲゴム材質又はゴムパッキングより硬度が低いものを使用して、ゴムのスプリングバックを大いに利用するのが良い。
【００１３】
図１のように組み立てられた本実施の形態のオイルシールは噴射ポンプ用モーター等の回転機器に装着される、即ち回転機器の回転シャフト４をオイルシールの同芯に突き合わせ回転シャフト４を押しオイルシールの軸芯にはめオイルシールを回転機器に装着する。このときゴムパッキング１は前述のごとく締め代がありさらに締め付け面が椀こ型になっているため回転シャフト４に圧着する。
【００１４】
この実施の形態のオイルシールを回転機器に装着して最初に回転シャフト４を回転させること回転シャフト４の外周に圧着しているゴムパッキング１はオーリング２と一体化して該機器の内側で回転シャフト４と共転する。このときゴムパッキングとオーリングが回転している側面に渦が生じる。ゴムパッキング１が回転シャフト４の外周面に圧着し回転することによる過流の効果でこのオイルシールの密封性を高い値に保持する。
【００１５】
この実施の形態のオイルシールではゴムパッキング１と回転シャフト４の外周面の当接面が密封面となり回転シャフト４の軸方向の密封面の距離がオイルシール全体の厚さ一杯の長さになる。そこで、この実施の形態のオイルシールは５気圧という高い油圧に耐えオイルを密封する事ができる。又、ゴムパッキング１は回転シャフト４に密着し回転シャフト▲４▼と共転するから回転シャフト４には溝はできない。ゴムパッキング１とオーリング２は一体となり回転シャフト４と共転しているのでゴムの摩擦はほとんどなく温度による影響も少ない。そこでこの実施の形態のオイルシールは密封性能を長期間安定に保持する事ができる。
【００１６】
その上この実施の形態のオイルシールはゴムパッキング１により密封しているから表面の粗い回転シャフトに使用されても密封性能を十分に高く保持できる。又、この実施の形態のオイルシールはゴムパッキング１のゴムはＨ＋ＮＢＲを使用していることから低温から高温まで広い温度環境で使用できる。
【００１７】
なお、以上には具体的寸法や材料を例示して実施の形態を説明したいがこの発明がこの実施の形態に限定されない事は勿論である。例えば、ゴムの材質をＨ＋ＮＢＲでなく機器内の流体が薬品であれば、その薬品に対応できるゴム材質あるいは金属や樹脂に変えても差し支えなく、寸法については対象機器の大小により自由に決め図１のオイルシールを造り上げることができる。
【００１８】
【発明の効果】
以上に実施の形態を上げ詳しく説明したように本発明によれば密封性能の経時変化が少なく表面の粗い回転シャフト４に使用されても密封性能を十分に高く保持でき広い温度環境でも使用でき回転シャフト４とゴムパッキングが共転するので高速回転のシールが可能なオイルシールを提供できる。又、オーリング２の自重とスプリングバックならびに回転シャフト４の回転による遠心力のみで機器の円環内周壁に接するので従来の強請的にばねで回転シャフト４に接するものよりなめらかな為円環内周壁にも傷溝をつけることが少ない。
【図面の簡単な説明】
【図１】本発明の一実施の形態を示す断面図である。
【図２】図１の実施の形態を構成するゴムパッキングの縦断面図である。
【図３】図１の実施の形態を構成するゴムパッキングの回転シャフトにセットされた縦断面図である。
【図４】図１の実施の形態を構成するオーリングの縦断面図である。
【図５】図１の実施の形態で回転シャフトが静状の状態を示す断面図である。
【図６】図１の実施の形態で回転シャフトが回転している状態を示す断面図である。
【符号の説明】
１　ゴムパッキング
２　オーリング
３　機器内面
４　回転シャフト
【図１】
2004092895.tif 000003
【図２】
2004092895.tif 000004
【図３】
2004092895.tif 000005
【図４】
2004092895.tif 000006
【図５】
2004092895.tif 000007
【図６】
2004092895.tif 000008